(57)【要約】【課題】所定の第１方向に長い第１沓と、前記第１方向に直交する第２方向に長い第２沓と、前記上沓と前記下沓との間に配置され、前記上沓及び前記下沓のそれぞれと対向するとともに摺動する第３沓とを組み付けて構成された全方向滑り支承装置であっても容易に仮固定する仮固定治具及び仮固定構造、並びに容易に仮固定することができる全方向滑り支承装置を提供することを目的とする。【解決手段】主桁１００及び橋脚１１０におけるそれぞれの対向部分に配設した上沓１０及び下沓３０、並びに、上沓１０及び下沓３０の間に配置され、上沓１０及び下沓３０のそれぞれと対向するとともに摺動する中沓２０を高さ方向Ｈに組み付けて構成した全方向滑り支承装置１において、上沓１０の奥行方向Ｌに沿う側面１０ａと、下沓３０の幅方向Ｗに沿う側面３０ａとに対して仮固定治具４０を取り付け、上沓１０と下沓３０との相対移動を仮固定した。【選択図】図２
2019105347.tif 000002
【特許請求の範囲】
【請求項１】
第１建造物及び第２建造物におけるそれぞれの対向部分に配設した第１沓及び第２沓、並びに、前記第１沓及び前記第２沓の間に配置され、前記第１沓及び前記第２沓のそれぞれと対向するとともに摺動する第３沓を、前記第１建造物及び前記第２建造物が対向する対向方向において、前記第１沓、前記第３沓及び前記第２沓の配置順で組み付けて構成され、
前記第１沓は、所定の第１方向において前記第２沓よりも長く、前記第２沓は、前記第１方向に直交する第２方向において前記第１沓より長い全方向滑り支承装置における前記第１沓の前記第１方向に沿う第１側面と、前記第２沓の前記第２方向に沿う第２側面とに対して連結するように仮固定治具を取り付け、前記第１沓と前記第２沓との相対移動を仮固定する
全方向滑り支承装置の仮固定構造。
【請求項２】
前記第３沓が、前記第１沓における前記第１方向の中央に配置されるとともに、
前記第２沓における前記第２方向の中央に配置された状態で仮固定する
請求項１に記載の全方向滑り支承装置の仮固定構造。
【請求項３】
前記第１沓、前記第３沓及び前記第２沓が重なり合い、前記対向方向において交差する交差部分の四隅に前記仮固定治具を設ける
請求項１又は２に記載の全方向滑り支承装置の仮固定構造。
【請求項４】
前記第１沓及び前記第２沓が、
前記第１建造物及び前記第２建造物における前記対向部分のそれぞれに固定されるプレート部と、
該プレート部に設けられた摺動方向に長い摺動面部材と、
該摺動面部材に対して、前記第３沓の摺動方向を規制する摺動方向規制部とで構成され、
前記第１側面及び前記第２側面のうち少なくとも一方が、前記プレート部の側面である
請求項１乃至３のうちいずれかに記載の全方向滑り支承装置の仮固定構造。
【請求項５】
前記仮固定治具を前記第１側面及び前記第２側面に対して締結して取り付ける締結具が備えられ、
前記第１側面及び前記第２側面に前記締結具が締結する被締結部が設けられた
請求項４に記載の全方向滑り支承装置の仮固定構造。
【請求項６】
前記被締結部が、
前記プレート部の面上に固定された被締結治具で構成された
請求項５に記載の全方向滑り支承装置の仮固定構造。
【請求項７】
前記仮固定治具は、
前記第１建造物及び前記第２建造物における前記対向部分のそれぞれに固定される前記プレート部同士の間隔より長く、前記対向部分同士の間隔より短く形成された
請求項４乃至６のうちいずれかに記載の全方向滑り支承装置の仮固定構造。
【請求項８】
第１建造物及び第２建造物におけるそれぞれの対向部分に配設した第１沓及び第２沓、並びに、前記第１沓及び前記第２沓の間に配置され、前記第１沓及び前記第２沓のそれぞれと対向するとともに摺動する第３沓を、前記第１建造物及び前記第２建造物が対向する対向方向において、前記第１沓、前記第３沓及び前記第２沓の配置順で組み付けて構成され、
前記第１沓は、所定の第１方向において前記第２沓よりも長く、
前記第２沓は、前記第１方向に直交する第２方向において前記第１沓より長く、
前記第１沓の前記第１方向に沿う第１側面と、前記第２沓の前記第２方向に沿う第２側面とに、
前記第１側面と前記第２側面とを連結し、前記第１沓と前記第２沓との相対移動を仮固定する仮固定治具を取り付ける仮固定治具取付部が備えられた
全方向滑り支承装置。
【請求項９】
第１建造物及び第２建造物におけるそれぞれの対向部分に配設した第１沓及び第２沓、並びに、前記第１沓及び前記第２沓の間に配置され、前記第１沓及び前記第２沓のそれぞれと対向するとともに摺動する第３沓を、前記第１建造物及び前記第２建造物が対向する対向方向において、前記第１沓、前記第３沓及び前記第２沓の配置順で組み付けて構成され、前記第１沓は、所定の第１方向において前記第２沓よりも長く、前記第２沓は、前記第１方向に直交する第２方向において前記第１沓より長い全方向滑り支承装置における前記第１沓の前記第１方向に沿う第１側面と、前記第２沓の前記第２方向に沿う第２側面とに対して、連結するように取り付けられ、前記第１沓と前記第２沓との相対移動を仮固定する
仮固定治具。
【発明の詳細な説明】
【技術分野】
【０００１】
この発明は、例えば、橋梁における橋脚等の下部建造物で、主桁等の上部建造物を支持する全方向滑り支承装置を仮固定する仮固定治具及び仮固定構造、並びに容易に仮固定することができる全方向滑り支承装置に関する。
【背景技術】
【０００２】
従来より、例えば、橋梁、免震建造物、あるいは固定建造物同士を接続する接続部分等の振動や相対変位が生じる建造物において、特許文献１に示すように、面内方向における全方向に可動支持する全方向滑り支承装置がある。
【０００３】
このような全方向滑り支承装置は、主桁等の被支持建造物と、橋脚等の支持建造物との間に配設され、被支持建造物に固定された上沓と、支持建造物に固定された下沓と、上沓と下沓との間に配置され、上沓及び下沓のそれぞれと対向するとともに摺動する中沓とを組み付けて構成されている。
【０００４】
そして、このような全方向滑り支承装置は、例えば、上沓を橋軸方向に長く、下沓を橋軸直角方向に長く形成し、中沓が上沓と橋軸方向に摺動するとともに、下沓と橋軸直角方向に摺動することで、面内方向における全方向に可動することができる。
【０００５】
また、主桁等の被支持建造物と、橋脚等の支持建造物との間に配設され、被支持建造物に固定された上沓と、支持建造物に固定された下沓とで構成する一般的な滑り支承装置において、特許文献２に提案されるように、建造物に対して滑り支承装置を高精度で効率よく組み付けわせるため、上沓と下沓とを仮固定する固定構造がある。
【０００６】
特許文献２に提案されている固定構造は、平面視形状が大きい下沓に対して、平面視形状が小さい上沓を固定するため、平面視形状が大きい下沓において対向する周縁部同士を跨ぐように固定部材を取付け、平面視形状が小さい上沓を固定部材で挟み込んで、下沓に対する上沓の面内方向の無用な移動を規制している。
【０００７】
しかしながら、特許文献２で提案されるような仮固定構造を、特許文献１に記載された全方向滑り支承装置に適用しようとすると、下沓に対する中沓の仮固定と、上沓に対する中沓の仮固定とを行う必要があり、構造が複雑化するという問題があった。このように構造が複雑化すると、滑り支承装置の建造物への取り付けは非常な狭隘な空間での施工であるため、滑り支承装置を建造物に取り付けるための施工や仮固定を解除するための施工が困難となるおそれがあった。
【先行技術文献】
【特許文献】
【０００８】
【特許文献１】特開２００８−７５７３３号公報
【特許文献２】特開２００７−１６４３３号公報
【発明の概要】
【発明が解決しようとする課題】
【０００９】
そこで本発明では、所定の第１方向に長い第１沓と、前記第１方向に直交する第２方向に長い第２沓と、前記第１沓と前記第２沓との間に配置され、前記第１沓及び前記第２沓のそれぞれと対向するとともに摺動する第３沓とを組み付けて構成された全方向滑り支承装置であっても容易に仮固定する仮固定治具及び仮固定構造、並びに容易に仮固定することができる全方向滑り支承装置を提供することを目的とする。
【課題を解決するための手段】
【００１０】
この発明は、第１建造物及び第２建造物におけるそれぞれの対向部分に配設した第１沓及び第２沓、並びに、前記第１沓及び前記第２沓の間に配置され、前記第１沓及び前記第２沓のそれぞれと対向するとともに摺動する第３沓を、前記第１建造物及び前記第２建造物が対向する対向方向において、前記第１沓、前記第３沓及び前記第２沓の配置順で組み付けて構成され、前記第１沓は、所定の第１方向において前記第２沓よりも長く、前記第２沓は、前記第１方向に直交する第２方向において前記第１沓より長い全方向滑り支承装置における前記第１沓の前記第１方向に沿う第１側面と、前記第２沓の前記第２方向に沿う第２側面とに対して連結するように仮固定治具を取り付け、前記第１沓と前記第２沓との相対移動を仮固定する全方向滑り支承装置の仮固定構造であることを特徴とする。
【００１１】
またこの発明は、第１建造物及び第２建造物におけるそれぞれの対向部分に配設した第１沓及び第２沓、並びに、前記第１沓及び前記第２沓の間に配置され、前記第１沓及び前記第２沓のそれぞれと対向するとともに摺動する第３沓を、前記第１建造物及び前記第２建造物が対向する対向方向において、前記第１沓、前記第３沓及び前記第２沓の配置順で組み付けて構成され、前記第１沓は、所定の第１方向において前記第２沓よりも長く、前記第２沓は、前記第１方向に直交する第２方向において前記第１沓より長く、前記第１沓の前記第１方向に沿う第１側面と、前記第２沓の前記第２方向に沿う第２側面とに、前記第１側面と前記第２側面とを連結し、前記第１沓と前記第２沓との相対移動を仮固定する仮固定治具を取り付ける仮固定治具取付部が備えられた全方向滑り支承装置であることを特徴とする。
【００１２】
さらにまたこの発明は、第１建造物及び第２建造物におけるそれぞれの対向部分に配設した第１沓及び第２沓、並びに、前記第１沓及び前記第２沓の間に配置され、前記第１沓及び前記第２沓のそれぞれと対向するとともに摺動する第３沓を、前記第１建造物及び前記第２建造物が対向する対向方向において、前記第１沓、前記第３沓及び前記第２沓の配置順で組み付けて構成され、前記第１沓は、所定の第１方向において前記第２沓よりも長く、前記第２沓は、前記第１方向に直交する第２方向において前記第１沓より長い全方向滑り支承装置における前記第１沓の前記第１方向に沿う第１側面と、前記第２沓の前記第２方向に沿う第２側面とに対して、連結するように取り付けられ、前記第１沓と前記第２沓との相対移動を仮固定する仮固定治具であることを特徴とする。
【００１３】
上記第１建造物及び第２建造物は、例えば、橋脚を第２建造物とし、主桁を第１建造物とする橋梁、ビルを第２建造物とし、ビルとビルとを連絡する渡り廊下を第１建造物とする連絡通路、柱を第２建造物とし、トラス屋根を第１建造物とする屋根構造、あるいは、ビルを第２建造物とし、別のビルを第１建造物とするエキスパンション構造における建造物とすることができる。
【００１４】
前記第１沓、前記第２沓及び前記第３沓は、前記第１建造物及び前記第２建造物を上下方向に配置した場合における上沓と下沓、そして前記上沓と前記下沓との間に配置された中沓とすることができる。
【００１５】
なお、前記第１沓、前記第２沓、及び前記第３沓には、滑り面を設けることができる。例えば、前記第１沓には、前記第１方向に長く、前記第２方向に短い第１滑り面を設け、前記第２沓には、前記第２方向に長く、前記第１方向に短い第２滑り面を設け、前記第３沓には、前記第１滑り面と対向し、前記第１方向に摺動する第３滑り面と、前記第２滑り面と対向し、前記第２方向に摺動する第４滑り面とを設けることができる。
【００１６】
上記仮固定治具は、前記第１沓の前記第１方向に沿う第１側面と、前記第２沓の前記第２方向に沿う第２側面とに対して、連結するように取り付けることができれば、つまり、前記第１側面と前記第２側面とを連結できる長さがあれば、いわゆるＬ型アングル部材、角型鋼管、適宜の断面形状の柱状材としてもよい。
【００１７】
なお、上記仮固定治具の第１側面及び第２側面への取り付けは、ボルト等の締結手段で締結してもよいし、仮止め溶接等で固定してもよいし、仮固定部材の一部を第１側面や第２側面に圧入して取り付けてもよい。さらに、上記仮固定治具の第１側面及び第２側面への取り付けは、両方とも同じ方法で取り付けてもよいし、異なる方法で取り付けてもよい。  
また、前記仮固定治具は、前記第１沓の両側の第１側面のうち少なくとも一方と、前記第２沓の両側の第２側面のうち少なくとも一方とを連結してもよい。
【００１８】
この発明により、所定の前記第１方向に長い前記第１沓と、前記第１方向に直交する第２方向に長い前記第２沓と、前記第１沓と前記第２沓との間に配置され、前記第１沓及び前記第２沓のそれぞれと対向するとともに摺動する第３沓とを組み付けて構成された全方向滑り支承装置を、前記仮固定治具を用いて容易に仮固定することができる。
【００１９】
詳述すると、所定の第１方向に長い前記第１沓における前記第１方向に沿う第１側面と、前記第２方向に長い前記第２沓における前記第２方向に沿う第２側面とを前記仮固定治具で連結することによって、それぞれと摺動する前記第３沓を介することなく、簡易な構造で、前記第１沓と前記第２沓との相対移動を規制し、容易に仮固定することができる。
【００２０】
この発明の態様として、前記第３沓が、前記第１沓における前記第１方向の中央に配置されるとともに、前記第２沓における前記第２方向の中央に配置された状態で仮固定してもよい。  
この発明により、安定して仮固定することができる。
【００２１】
詳述すると、一般的に、建造物の重心位置を考慮し、建造物に滑り支承装置を固定されるが、前記第３沓が、前記第１沓における前記第１方向の中央に配置されるとともに、前記第２沓における前記第２方向の中央に配置されることで、仮固定した状態のまま建造物に取り付けた場合であっても偏荷重が作用することを防止できる。
【００２２】
またこの発明の態様として、前記第１沓、前記第３沓及び前記第２沓が重なり合い、前記対向方向において交差する交差部分の四隅に前記仮固定治具を設けてもよい。  
この発明により、前記第１沓を前記第２方向の両側から挟むとともに、前記第２沓を前記第１方向の両側から挟むように前記仮固定治具で連結するため、前記第１方向及び前記第２方向のいずれの方向の相対移動に対しても対抗でき、確実な仮固定状態を実現することができる。また、建造物への取り付け作業時や運搬時に負荷が作用した場合であっても、交差部分の四隅を前記仮固定治具で連結しているため、不用意に仮固定状態が解除されることを防止することができる。
【００２３】
またこの発明の態様として、前記第１沓及び前記第２沓が、前記第１建造物及び前記第２建造物における前記対向部分のそれぞれに固定されるプレート部と、該プレート部に設けられた摺動方向に長い摺動面部材と、該摺動面部材に対して、前記第３沓の摺動方向を規制する摺動方向規制部とで構成され、前記第１側面及び前記第２側面のうち少なくとも一方が、前記プレート部の側面であってもよい。
【００２４】
この発明により、前記仮固定治具を前記プレート部に対して容易に着脱することができる。  
例えば、全方向滑り支承装置において平面視内側に配置される前記摺動方向規制部に対して前記仮固定治具を着脱する場合に比べて、平面視外側に配置される前記プレート部の側面に対して前記仮固定治具を着脱するため、建造物同士の間という狭隘な施工空間であっても容易に前記仮固定治具を着脱することができる。
【００２５】
またこの発明の態様として、前記仮固定治具を前記第１側面及び前記第２側面に対して締結して取り付ける締結具が備えられ、前記第１側面及び前記第２側面に前記締結具が締結する被締結部が設けられてもよい。
【００２６】
この発明により、仮固定並びに仮固定の解放を容易に行うことができる。  
詳述すると、例えば、仮固定治具をプレート部の側面に溶接で固定する場合、仮固定するためには溶接機等の設備が必要となり、仮固定を解放するために溶接や仮固定治具を溶断する必要がある。これに対し、前記第１側面及び前記第２側面に向けて前記被締結部に前記締結具を締結することで前記仮固定治具を側面に取り付けて容易に仮固定状態とすることができ、逆に、前記被締結部に締結された前記締結具を取り外すことで、容易に前記仮固定治具を取り外して仮固定状態を解放することができる。
【００２７】
またこの発明の態様として、前記被締結部が、前記プレート部の面上に固定された被締結治具で構成されてもよい。  
この発明により、プレート部の側面に締結具を螺入する締結穴を設ける場合に比べてプレート部の厚みを薄くできる。したがって、コンパクトな全方向滑り支承装置を構成することができる。
【００２８】
またこの発明の態様として、前記仮固定治具は、前記第１建造物及び前記第２建造物における前記対向部分のそれぞれに固定される前記プレート部同士の間隔より長く、前記対向部分同士の間隔より短く形成されてもよい。  
この発明により、仮固定治具が支障することなく、建造物に対して全方向滑り支承装置を確実に取り付けることができる。
【００２９】
詳述すると、一般的に、建造物の対向面に対して、前記プレート部を溶接して取り付けるが、前記仮固定治具が前記第１建造物及び前記第２建造物における前記対向部分同士の間隔より短く形成されているため、建造物の対向部と前記仮固定治具の端部との間に隙間が形成され、仮固定治具が支障することなく、建造物の対向面と前記プレート部とを溶接して確実に全方向滑り支承装置を取り付けることができる。
【００３０】
また、前記仮固定治具を、前記第１建造物及び前記第２建造物における前記対向部分のそれぞれに固定される前記プレート部同士の間隔より長く形成していることで、前記仮固定治具の端部は前記プレート部の側面にかかっているため、前記被締結部から前記締結具が外れた場合であっても、前記仮固定治具が側面に係止している方向の移動を規制することができる。
【発明の効果】
【００３１】
本発明により、所定の第１方向に長い第１沓と、前記第１方向に直交する第２方向に長い第２沓と、前記第１沓と前記第２沓との間に配置され、前記第１沓及び前記第２沓のそれぞれと対向するとともに摺動する第３沓とを組み付けて構成された全方向滑り支承装置であっても容易に仮固定する仮固定治具及び仮固定構造、並びに容易に仮固定することができる全方向滑り支承装置を提供することができる。
【図面の簡単な説明】
【００３２】
【図１】仮固定状態の全方向滑り支承装置の斜視図。
【図２】全方向滑り支承装置の上方からの分解斜視図。
【図３】中沓の上方からの分解斜視図。
【図４】全方向滑り支承装置の下方からの分解斜視図。
【図５】全方向滑り支承装置の平面図。
【図６】全方向滑り支承装置の説明図。
【図７】仮固定を解放した状態の全方向滑り支承装置の斜視図。
【図８】他の実施形態の全方向滑り支承装置の平面図。
【図９】他の実施形態の全方向滑り支承装置の説明図。
【発明を実施するための形態】
【００３３】
この発明の一実施形態を以下図面とともに説明する。  
図１は仮固定状態の全方向滑り支承装置１の斜視図を示し、図２は全方向滑り支承装置１の上方からの分解斜視図を示し、図３は中沓２０の上方からの分解斜視図を示し、図４は全方向滑り支承装置１の下方からの分解斜視図を示し、図５は全方向滑り支承装置１の平面図を示し、図６は全方向滑り支承装置１の説明図を示し、図７は仮固定を解放した状態の全方向滑り支承装置１の斜視図を示している。
【００３４】
なお、図２は奥行方向Ｌ及び幅方向Ｗの手前側の一部を透過状態で図示している。また、図６（ａ）は全方向滑り支承装置１の正面図を示し、図６（ｂ）は図５に示すＡ−Ａ矢視断面図を示し、図６（ｃ）は全方向滑り支承装置１の側面図を示し、図６（ｄ）は図５に示すＢ−Ｂ矢視断面図を示している。
【００３５】
全方向滑り支承装置１は、上部建造物である主桁１００（図６）を、下部建造物である橋脚１１０（図６）で支持する橋梁における全方向滑り支承装置であり、主桁１００の底面に固定された上沓１０と、橋脚１１０の上面に固定された下沓３０と、上沓１０と下沓３０との間に配置された中沓２０とで構成している。
【００３６】
上沓１０は、図４に示すように、幅方向Ｗより奥行方向Ｌが長い矩形状のソールプレート１１と、ソールプレート１１の底面において幅方向Ｗの両側に設けたストッパ１２と、奥行方向Ｌの両端付近に設けたサイドブロック１３と、ソールプレート１１の底面に装着されるスライドプレート１４と、ストッパ１２の幅方向Ｗ内側に装着されるサイドスライドプレート１５と、上沓１０において奥行方向Ｌに沿った幅方向Ｗの両側の側面１０ａに対して取り付けられた高ナット１６とで構成されている。
【００３７】
ソールプレート１１は、上述したように、幅方向Ｗより奥行方向Ｌが長い矩形状であり、主桁１００の底面に取り付けられる適宜の厚みを有する鋼製のプレート材である。  
ソールプレート１１の底面において幅方向Ｗの両側に設けたストッパ１２は、ストッパ側面部１２１と、ストッパ側面部１２１の下端から幅方向Ｗの内側に延びるストッパ底面部１２２とで構成する断面Ｌ型形状であり、幅方向Ｗの左右において、ストッパ底面部１２２同士が近づく向きで対向配置されている。
【００３８】
なお、ストッパ１２は、ストッパ側面部１２１の幅方向Ｗの外側面とソールプレート１１の底面とを跨ぐリブ１２３が奥行方向Ｌに所定間隔を隔てて複数設けられ、ソールプレート１１の底面に固定されている。  
このように、ソールプレート１１の底面において幅方向Ｗの両側に設けられたストッパ１２は、全方向滑り支承装置１の組み付け状態において、上沓１０に対する中沓２０の奥行方向Ｌの摺動方向を規制（ガイド）するとともに、上沓１０と中沓２０との高さ方向Ｈの離間を規制している。
【００３９】
ソールプレート１１の底面における奥行方向Ｌの両端付近において、ストッパ１２の奥行方向Ｌの両端部を塞ぐように設けられるサイドブロック１３は、ソールプレート１１と同じ幅方向Ｗの長さで形成されている。なお、奥行方向Ｌの両側に設けられたサイドブロック１３のうち一方は、幅方向Ｗの両側に配置されたストッパ１２同士の間に、後述する中沓２０が挿入された後に装着されることで、ストッパ１２同士の間に挿入された中沓２０が抜け出ることを防止している。
【００４０】
スライドプレート１４は、幅方向Ｗより奥行方向Ｌが長い平面視矩形状の滑り面を構成し、幅方向Ｗの両側に配置されたストッパ１２同士の間におけるソールプレート１１の底面に装着される鋼製の板材であり、少なくとも滑り面となる底面に研磨処理が施されている。
【００４１】
サイドスライドプレート１５は、幅方向Ｗより奥行方向Ｌが長い平面視矩形状の滑り面を構成し、幅方向Ｗの両側に配置されたストッパ１２におけるストッパ側面部１２１の内面に装着される鋼製の板材であり、少なくとも滑り面となる内面に研磨処理が施されている。
【００４２】
高ナット１６は、ソールプレート１１の底面において幅方向Ｗに向けて取り付けられ、後述する仮固定治具４０を連結するボルト４１を螺合する高ナット（長ナット）であり、幅方向Ｗの端部が奥行方向Ｌに沿った側面１０ａと面一となるように取り付けられている。また、高ナット１６は、ベースプレート３１の奥行方向Ｌの長さに所定の長さを加えた間隔で、ソールプレート１１の奥行方向Ｌの中央に対して両側に設けられている。
【００４３】
下沓３０は、上述の上沓１０と同様の構成であり、図２に示すように、奥行方向Ｌより幅方向Ｗが長い矩形状のベースプレート３１と、ベースプレート３１の上面において奥行方向Ｌの両側に設けたストッパ３２と、幅方向Ｗの両端付近に設けたサイドブロック３３と、ベースプレート３１の上面に装着されるスライドプレート３４と、ストッパ３２の奥行方向Ｌ内側に装着されるサイドスライドプレート３５と、下沓３０において幅方向Ｗに沿った奥行方向Ｌの両側の側面３０ａに対して取り付けられた高ナット３６とで構成されている。
【００４４】
ベースプレート３１は、上述したように、奥行方向Ｌより幅方向Ｗが長い矩形状であり、橋脚１１０の上面に取り付けられる適宜の厚みを有する鋼製のプレート材である。  
ベースプレート３１の上面において奥行方向Ｌの両側に設けたストッパ３２は、ストッパ側面部３２１と、ストッパ側面部３２１の上端から奥行方向Ｌの内側に延びるストッパ上面部３２２とで構成する断面Ｌ型形状であり、奥行方向Ｌの左右において、ストッパ上面部３２２同士が近づく向きで対向配置されている。
【００４５】
なお、ストッパ３２は、ストッパ側面部３２１の奥行方向Ｌの外側面とベースプレート３１の上面とを跨ぐリブ３２３が幅方向Ｗに所定間隔を隔てて複数設けられ、ベースプレート３１の上面に固定されている。
【００４６】
このように、ベースプレート３１の上面において奥行方向Ｌの両側に設けられたストッパ３２は、全方向滑り支承装置１の組み付け状態において、下沓３０に対する中沓２０の摺動方向を幅方向Ｗに規制（ガイド）するとともに、下沓３０と中沓２０との高さ方向Ｈの離間を規制している。
【００４７】
ベースプレート３１の上面における幅方向Ｗの両端付近において、ストッパ３２の幅方向Ｗの両端部を塞ぐように設けられるサイドブロック３３は、ベースプレート３１と同じ奥行方向Ｌの長さで形成されている。なお、幅方向Ｗの両側に設けられたサイドブロック３３のうち一方は、奥行方向Ｌの両側に配置されたストッパ３２同士の間に、後述する中沓２０が挿入された後に装着されることで、ストッパ３２同士の間に挿入された中沓２０が抜け出ることを防止している。
【００４８】
スライドプレート３４は、奥行方向Ｌより幅方向Ｗが長い平面視矩形状の滑り面を構成し、奥行方向Ｌの両側に配置されたストッパ３２同士の間におけるベースプレート３１の上面に装着される鋼製の板材であり、少なくとも滑り面となる上面に研磨処理が施されている。
【００４９】
サイドスライドプレート３５は、奥行方向Ｌより幅方向Ｗが長い平面視矩形状の滑り面を構成し、奥行方向Ｌの両側に配置されたストッパ３２におけるストッパ側面部３２１の内面に装着される鋼製の板材であり、少なくとも滑り面となる内面に研磨処理が施されている。
【００５０】
高ナット３６は、ベースプレート３１の上面において奥行方向Ｌに向けて取り付けられ、後述する仮固定治具４０を連結するボルト４１を螺合する高ナット（長ナット）であり、奥行方向Ｌの端部が幅方向Ｗに沿った側面３０ａと面一となるように取り付けられている。また、高ナット３６は、ソールプレート１１の幅方向Ｗの長さに所定の長さを加えた間隔で、ベースプレート３１の幅方向Ｗの中央に対して両側に設けられている。
【００５１】
このように構成された上沓１０及び下沓３０との間に配置され、上沓１０と下沓３０と摺動する中沓２０は、図３に示すように、奥行方向Ｌ及び幅方向Ｗに沿う平面視略正方形で、奥行方向Ｌや幅方向Ｗの長さの半分程度の高さを有する高さが低い略方形体状のベースポット２１と、ベースポット２１の上下端において外側に張り出したフランジ２１１，２１２の端面に備えたサイドスライダー２２，２３、ベースポット２１の上面２１ａに備えた上摺動部材２４と、ベースポット２１の底面２１ｂに備え、下スライダ２５１及びダストシール２５２で構成される下摺動部材２５とで構成されている。
【００５２】
ベースポット２１は、上述のような方形体状の上端において幅方向Ｗの両方に張り出した左右一対の上フランジ２１１と、方形体状の下端において奥行方向Ｌの両方に張り出した前後一対の下フランジ２１２とが備えられ、上面２１ａの平面視中央に上摺動部材２４を装着する円筒状の空間である上摺動部材装着凹部２１３が設けられている。
【００５３】
また、ベースポット２１の底面２１ｂには、下摺動部材２５が装着される下摺動部材装着凹部２１４が設けられている。なお、下スライダ２５１及びダストシール２５２で構成される下摺動部材２５を装着する下摺動部材装着凹部２１４は、下スライダ２５１を装着する底面視中央に配置された円筒状の空間である下スライダ装着凹部２１４ａと、下スライダ装着凹部２１４ａの外径側で環状の空間に形成されたダストシール装着凹部２１４ｂとで構成されている。
【００５４】
上摺動部材装着凹部２１３に装着される上摺動部材２４は、弾性プレート２４１、シールリング２４２、ピストン２４３及びベアリング２４４で構成している。  
弾性プレート２４１は、上摺動部材装着凹部２１３よりわずかに小さな径の平面視円形、且つ上摺動部材装着凹部２１３の深さの半分程度の高さを有するゴム製のプレートである。
【００５５】
シールリング２４２は、径外側が垂直面となる断面台形状の円形リングであり、外径が弾性プレート２４１と同じ径で形成し、シールリング２４２における台形断面における内径側が、連続して上方に向かうにつれ径外側に広がる傾斜面で形成している。
【００５６】
ピストン２４３は、ステンレス製の略円錐台形状であり、シールリング２４２の嵌合を許容する嵌合溝２４３ａを外周面の下端に形成している。  
ベアリング２４４は、フッ素樹脂で形成された平面視円形の板状体であり、自己潤滑性を有するとともに表面が低摩擦係数であり、ピストン２４３の上面に接合されている。
【００５７】
下摺動部材２５を構成する下スライダ２５１は、自己潤滑性を有するとともに表面が低摩擦係数であるフッ素樹脂で形成された平面視円形の板状体である。
【００５８】
下摺動部材２５を下スライダ２５１とともに構成するダストシール２５２は、矩形断面で構成した、下スライダ２５１より大きな径の円形のリング体である。
【００５９】
ベースポット２１の上端において幅方向Ｗの両方に張り出した左右一対の上フランジ２１１の端面に装着される上サイドスライダー２２は、組み付け状態において、上沓１０のストッパ１２を構成するストッパ側面部１２１の内面に装着されたサイドスライドプレート１５と摺動し、自己潤滑性を有するとともに表面が低摩擦係数であるフッ素樹脂製の板材で構成している。
【００６０】
ベースポット２１の下端において奥行方向Ｌの両方に張り出した前後一対の下フランジ２１２の端面に装着される下サイドスライダー２３は、組み付け状態において、下沓３０のストッパ３２を構成するストッパ側面部３２１の内面に装着されたサイドスライドプレート３５と摺動し、自己潤滑性を有するとともに表面が低摩擦係数であるフッ素樹脂製の板材で構成している。
【００６１】
このように各要素が構成された中沓２０は、ベースポット２１の上摺動部材装着凹部２１３に、弾性プレート２４１、シールリング２４２、ピストン２４３及びベアリング２４４を重ねて装着し、下摺動部材２５を構成する下スライダ２５１を下スライダ装着凹部２１４ａに装着するとともに、ダストシール２５２をダストシール装着凹部２１４ｂに装着し、さらに、フランジ２１１，２１２の端面にサイドスライダー２２，２３を装着して組み付けられる。
【００６２】
上述したように各要素で構成された上沓１０、中沓２０及び下沓３０は、上沓１０の底面において幅方向Ｗの両側に設けたストッパ１２同士の間にベースポット２１の上フランジ２１１を奥行方向Ｌに摺動可能に収容して上沓１０と中沓２０とを組み付け、下沓３０の上面において奥行方向Ｌの両側に設けたストッパ３２同士の間にベースポット２１の下フランジ２１２を幅方向Ｗに摺動可能に収容して下沓３０と中沓２０とを組み付けて全方向滑り支承装置１を構成する。
【００６３】
このとき、中沓２０の上面２１ａに露出する上摺動部材２４のベアリング２４４は、上沓１０のスライドプレート１４と奥行方向Ｌに摺動し、ベースポット２１の上フランジ２１１の端面に設けた上サイドスライダー２２は、ストッパ１２のストッパ側面部１２１の内面に設けたサイドスライドプレート１５と奥行方向Ｌに摺動することとなる。
【００６４】
同様に、中沓２０の底面２１ｂに露出する下摺動部材２５を構成する下スライダ２５１とダストシール２５２とは、下沓３０のスライドプレート３４と幅方向Ｗに摺動し、ベースポット２１の下フランジ２１２の端面に設けた下サイドスライダー２３は、ストッパ３２のストッパ側面部３２１の内面に設けたサイドスライドプレート３５と幅方向Ｗに摺動することとなる。
【００６５】
そのため、全方向滑り支承装置１は、上沓１０と中沓２０とが奥行方向Ｌに摺動し、中沓２０と下沓３０とが幅方向Ｗに摺動するため、上沓１０と下沓３０とは、中沓２０を介して、奥行方向Ｌと幅方向Ｗとで構成する水平方向（面内方向）における全方向に相対移動することができる。また、ダストシール２５２が下スライダ２５１の径外側で接触しながらスライドプレート３４と摺動するため、下スライダ２５１とスライドプレート３４との摺動面にゴミ等が侵入することを防止することができる。
【００６６】
上述のように、上沓１０と下沓３０とが中沓２０を介して水平方向（面内方向）における全方向に相対移動することができる全方向滑り支承装置１において、上沓１０と下沓３０との相対移動を仮固定する仮固定構造について以下で説明する。
【００６７】
全方向滑り支承装置１における上沓１０と下沓３０との相対移動を仮固定する仮固定構造は、沓１０，３０の側面１０ａ，３０ａに対して面一に設けた高ナット１６，３６と、高ナット１６，３６が設けられた側面１０ａ，３０ａ同士を連結する仮固定治具４０と、仮固定治具４０を高ナット１６，３６に対して締結するためのボルト４１とで構成する。
【００６８】
仮固定治具４０は、後述する長さで形成された、Ｌ型形状を有するいわゆるＬ型アングル材で構成されるとともに、Ｌ型断面に垂直な方向の長さ方向が高さ方向Ｈとなるように配置され、高ナット１６，３６に対応する箇所にボルト４１を挿通するボルト孔が設けられている。
【００６９】
仮固定治具４０の治具長さＨ１は、図６に示すように、上沓１０のソールプレート１１の底面と下沓３０のベースプレート３１の上面との間隔であるプレート間距離Ｈ２より長く、上沓１０のソールプレート１１の上面と下沓３０のベースプレート３１の底面との距離、つまり全方向滑り支承装置１の高さであり、全方向滑り支承装置１を装着する主桁１００と橋脚１１０との間隔である建造物間距離Ｈ３より短く形成している。
【００７０】
このように構成された仮固定治具４０は、断面Ｌ型形状を構成する二面、すなわちＬ型の外側面であって互いに直交する二面が平面視において奥行方向Ｌ及び幅方向Ｗにおいてそれぞれ対向するように４つ配置され、ボルト４１を高ナット１６，３６に螺合することによって、仮固定治具４０を装着することができる。
【００７１】
具体的には、図５に示すように、平面視において、上沓１０と下沓３０とが重なり合う正方形状の平面交差部分Ｘの四隅において、平面交差部分Ｘの頂点と仮固定治具４０の頂点とが対向するとともに、断面Ｌ型形状を構成する二面がそれぞれ奥行方向Ｌ及び幅方向Ｗに向くように配置し、固定されている。そのため、断面Ｌ型形状を構成する二面はそれぞれ上沓１０の側面１０ａ及び下沓３０の側面３０ａに沿うとともに面接触することとなる。
【００７２】
なお、上述したように、高ナット１６がベースプレート３１の奥行方向Ｌの長さに所定の長さを加えた間隔で、ソールプレート１１の奥行方向Ｌの中央に対して両側に設けられ、高ナット３６がソールプレート１１の幅方向Ｗの長さに所定の長さを加えた間隔で、ベースプレート３１の幅方向Ｗの中央に対して両側に設けられているため、高ナット１６，３６にボルト４１を螺合して仮固定治具４０を連結した仮固定状態では、下沓３０が上沓１０に対して奥行方向Ｌの中央に配置され、上沓１０が下沓３０に対して幅方向Ｗの中央に配置された状態、つまり上沓１０と下沓３０とが平面視において交差する平面交差部分Ｘが全方向滑り支承装置１の中央となる位置で仮固定することができる。
【００７３】
上述のように仮固定治具４０を用いた仮固定構造は、上述のような全方向滑り支承装置１のみならず、図８及び図９に示すような他の実施形態である全方向滑り支承装置１ａにも適用することができる。
【００７４】
なお、図８は全方向滑り支承装置１ａの平面図を示し、図９は全方向滑り支承装置１ａの説明図を示している。詳述すると、図９（ａ）は全方向滑り支承装置１ａの正面図を示し、図９（ｂ）は図８に示すＡ−Ａ矢視断面図を示し、図９（ｃ）は全方向滑り支承装置１ａの側面図を示し、図９（ｄ）は図８に示すＢ−Ｂ矢視断面図を示している。
【００７５】
図８及び図９に示す全方向滑り支承装置１ａは、上述の全方向滑り支承装置１とほぼ同様の構成であるため、以下で全方向滑り支承装置１と異なる構成のみを説明し、同じ構成についての説明は省略する。  
上述の全方向滑り支承装置１では、上沓１０及び下沓３０に対する中沓２０の摺動方向を規制するストッパ１２，３２を、プレート１１，３１に対して取り付けて構成したが、全方向滑り支承装置１ａにおいては、上沓１０及び下沓３０においてストッパ部１２ａ，３２ａがプレート１１ａ，３１ａと一体形成されており、そのため、沓１０，３０の側面１０ａ，３０ａは、プレート１１ａ，３１ａの厚みに加えてストッパ部１２ａ，３２ａの高さを加えた高さとなる。
【００７６】
そのため、上述の全方向滑り支承装置１では、プレート１１，３１の面上に、仮固定治具４０を連結するためのボルト４１を螺合する高ナット１６，３６を設けたが、全方向滑り支承装置１ａでは、プレート１１ａ，３１ａの厚みにストッパ部１２ａ，３２ａの高さが加えられた側面１０ａ，３０ａに、ボルト４１を螺合するボルト孔（図示省略）を設けている。  
したがって、全方向滑り支承装置１ａでは、側面１０ａ，３０ａにボルト４１を螺合して仮固定治具４０を連結することで上述のような仮固定状態を実現することができる。
【００７７】
なお、この全方向滑り支承装置１ａでは、仮固定治具４０の治具長さＨ１より短いプレート間距離Ｈ２は、ソールプレート１１ａと一体形成されたストッパ部１２ａの底面と、ベースプレート３１ａと一体形成されたストッパ部３２ａの上面との間隔となる。
【００７８】
このように、主桁１００及び橋脚１１０におけるそれぞれの対向部分に配設した上沓１０及び下沓３０、並びに、上沓１０及び下沓３０の間に配置され、上沓１０及び下沓３０のそれぞれと対向するとともに摺動する中沓２０を、主桁１００及び橋脚１１０が対向する高さ方向Ｈにおいて、上沓１０、中沓２０及び下沓３０の配置順で組み付けて構成され、上沓１０は、所定の奥行方向Ｌに長く、奥行方向Ｌに直交する幅方向Ｗに短い矩形状のスライドプレート１４を有し、下沓３０は、幅方向Ｗに長く、奥行方向Ｌに短い矩形状のスライドプレート３４を有し、中沓２０は、スライドプレート１４と対向し奥行方向Ｌに摺動するベアリング２４４と、スライドプレート３４と対向し幅方向Ｗに摺動する下スライダ２５１とを有する全方向滑り支承装置１（１ａ）において上沓１０の奥行方向Ｌに沿う側面１０ａと、下沓３０の幅方向Ｗに沿う側面３０ａとに対して連結するように仮固定治具４０を取り付けることで、仮固定治具４０を用いて容易に仮固定することができる。
【００７９】
上述のように、全方向滑り支承装置１（１ａ）において、所定の奥行方向Ｌに長く、奥行方向Ｌに直交する幅方向Ｗに短い矩形状のスライドプレート１４を有する上沓１０における奥行方向Ｌに沿う側面１０ａと、幅方向Ｗに長く、奥行方向Ｌに短い矩形状のスライドプレート３４を有する下沓３０における幅方向Ｗに沿う側面３０ａとを仮固定治具４０で連結することによって、それぞれと摺動する中沓２０を介することなく、簡易な構造で、上沓１０と下沓３０との相対移動を規制し、容易に仮固定することができる。
【００８０】
また、図５（図８）に示すように、中沓２０が、上沓１０における奥行方向Ｌの中央に配置されるとともに、下沓３０における幅方向Ｗの中央に配置された状態で仮固定することにより、安定して仮固定することができる。
【００８１】
詳述すると、一般的に、主桁１００、橋脚１１０の重心位置を考慮し、主桁１００、橋脚１１０に全方向滑り支承装置１（１ａ）が固定されるが、中沓２０が上沓１０における奥行方向Ｌの中央に配置されるとともに、中沓２０が下沓３０における幅方向Ｗの中央に配置されることで、仮固定した状態のままの全方向滑り支承装置１を主桁１００、橋脚１１０に取り付けた場合であっても偏荷重が作用することを防止できる。
【００８２】
また、上沓１０、中沓２０及び下沓３０が重なり合い、高さ方向Ｈにおいて交差する平面交差部分Ｘの四隅に仮固定治具４０を取付けているため、上沓１０を幅方向Ｗの両側から挟むとともに、下沓３０を奥行方向Ｌの両側から挟むように仮固定治具４０で連結でき、奥行方向Ｌ及び幅方向Ｗのいずれの方向の相対移動に対しても対抗でき、確実な仮固定状態を実現することができる。また、主桁１００、橋脚１１０への取り付け作業時や運搬時に負荷が作用した場合であっても、平面交差部分Ｘの四隅において仮固定治具４０で連結しているため、不用意に仮固定状態が解除されることを防止することができる。
【００８３】
また、上沓１０及び下沓３０が、主桁１００及び橋脚１１０における対向部分のそれぞれに固定されるプレート１１，３１（１１ａ，３１ａ）と、プレート１１，３１（１１ａ，３１ａ）に設けられた摺動方向に長いスライドプレート１４，３４と、スライドプレート１４，３４に対して、中沓２０の摺動方向を規制するストッパ１２，３２（ストッパ部１２ａ，３２ａ）とで構成されており、仮固定治具４０をプレート１１，３１（１１ａ，３１ａ）の側面である側面１０ａ，３０ａに連結するため、仮固定治具４０を容易に着脱することができる。
【００８４】
例えば、全方向滑り支承装置１（１ａ）の平面視内側に配置されるストッパ１２，３２（１２ａ，３２ａ）に対して仮固定治具４０を着脱する場合に比べて、平面視外側に配置されるプレート１１，３１（１１ａ，３１ａ）の側面である側面１０ａ，３０ａに対して仮固定治具４０を着脱するため、主桁１００と橋脚１１０との間という狭隘な施工空間であっても容易に仮固定治具４０を着脱することができる。
【００８５】
また、仮固定治具４０を締結するボルト４１を螺合する高ナット１６，３６（ボルト孔）が設けられているため、仮固定並びに仮固定の解放を容易に行うことができる。  
詳述すると、例えば、仮固定治具４０をプレート１１，３１（１１ａ，３１ａ）の側面に溶接で固定する場合、仮固定するためには溶接機等の設備が必要となり、仮固定を解放するために溶接や仮固定治具４０を溶断する必要があるが、側面１０ａ，３０ａに沿って設けた高ナット１６，３６（ボルト孔）にボルト４１を螺合することで仮固定治具４０を容易に側面１０ａ，３０ａに取り付けて仮固定状態とすることができる。また逆に、高ナット１６，３６（ボルト孔）に締結されたボルト４１を取り外すことで、容易に仮固定治具４０を取り外して仮固定状態を解放することができる。
【００８６】
また、全方向滑り支承装置１では、プレート１１，３１の面上に固定された高ナット１６，３６が設けられているため、プレート１１ａ，３１ａの側面にボルト４１を螺入するボルト孔を設ける全方向滑り支承装置１ａに比べてプレート１１，３１の厚みを薄くできる。したがって、全方向滑り支承装置１ａに比べて全方向滑り支承装置１をコンパクトに構成することができる。
【００８７】
また、仮固定治具４０は、主桁１００及び橋脚１１０における対向部分のそれぞれに固定されるプレート間距離Ｈ２より長く、建造物間距離Ｈ３より短く形成されているため、仮固定治具４０が支障することなく、主桁１００、橋脚１１０に対して全方向滑り支承装置１（１ａ）を確実に取り付けることができる。
【００８８】
詳述すると、一般的に、主桁１００、橋脚１１０の対向面に対して、プレート１１，３１（１１ａ，３１ａ）を溶接して取り付けるが、仮固定治具４０が主桁１００及び橋脚１１０における建造物間距離Ｈ３より短く形成されているため、主桁１００、橋脚１１０の対向部と仮固定治具４０の端部との間に隙間が形成され、仮固定治具４０が支障することなく、主桁１００、橋脚１１０の対向面とプレート１１，３１（１１ａ，３１ａ）とを溶接して確実に取り付けることができる。
【００８９】
また、仮固定治具４０を、主桁１００及び橋脚１１０における対向部分のそれぞれに固定されるプレート間距離Ｈ２より長く形成していることで、高ナット１６，３６がプレート１１，３１の面上に固定された全方向滑り支承装置１の場合には、仮固定治具４０の端部はプレート１１，３１の側面にかかっているため、高ナット１６，３６からボルト４１が外れた場合であっても、仮固定治具４０が側面に係止している方向の移動を規制することができる。
【００９０】
また、プレート１１ａ，３１ａの側面にボルト４１を螺入するボルト孔を設けた全方向滑り支承装置１ａの場合にも、仮固定治具４０の端部はプレート１１ａ，３１ａの側面にかかっているため、ボルト孔からボルト４１が外れた場合であっても、仮固定治具４０が側面に係止している方向の移動を規制することができる。
【００９１】
以上、本発明の構成と、前述の実施態様との対応において、
本発明の第１建造物は本実施形態の主桁１００に対応し、
以下同様に、
第２建造物は橋脚１１０に対応し、
第１沓は上沓１０に対応し、
第２沓は下沓３０に対応し、
第３沓は中沓２０に対応し、
対向方向は高さ方向Ｈに対応し、
第１方向は奥行方向Ｌに対応し、
第２方向は幅方向Ｗに対応し、
第１滑り面はスライドプレート１４に対応し、
第２滑り面はスライドプレート３４に対応し、
第３滑り面はベアリング２４４に対応し、
第４滑り面は下スライダ２５１に対応し、
全方向滑り支承装置は全方向滑り支承装置１，１ａに対応し、
第１側面は側面１０ａに対応し、
第２側面は側面３０ａに対応し、
仮固定治具は仮固定治具４０に対応し、
交差部分は平面交差部分Ｘに対応し、
プレート部はプレート１１，３１あるいはプレート１１ａ，３１ａに対応し、
摺動面部材はスライドプレート１４，３４に対応し、
摺動方向規制部はストッパ１２，３２あるいはストッパ部１２ａ，３２ａに対応し、
締結具はボルト４１に対応し、
被締結部は高ナット１６，３６あるいはボルト孔に対応し、
被締結治具は高ナット１６，３６に対応し、
プレート部同士の間隔はプレート間距離Ｈ２に対応し、
対向部分同士の間隔は建造物間距離Ｈ３に対応するも、上記実施形態に限定するものではない。
【００９２】
例えば、橋脚１１０で主桁１００を支持する場合の全方向滑り支承装置１，１ａについて説明したが、ビルとビルとを連絡する渡り廊下をビルから支持する場合の支承装置、トラス屋根を柱で支持する場合の支承装置、あるいは、ビル同士を接続するエキスパンション構造における支承装置として用いてもよい。
【００９３】
上述の説明では仮固定治具４０をＬ型アングル材で構成したが、上沓１０の奥行方向Ｌに沿う側面１０ａと、下沓３０の幅方向Ｗに沿う側面３０ａとに対して、連結するように取り付けることができれば、つまり、少なくとも互いに直交する二面を外側面を備えた形状であって、側面１０ａと側面３０ａとを連結できる長さがあれば、Ｌ型形状に限られず、例えば三角柱形状や四角柱形状などの適宜の形状でもよく、いわゆる角型鋼管等を用いて仮固定治具４０を構成してもよい。
【００９４】
また、上述の説明では側面１０ａ，３０ａを仮固定治具４０で連結したが、例えば、上沓１０のストッパ１２のストッパ側面部１２１と下沓３０の側面３０ａとを仮固定治具４０で連結したり、逆に、下沓３０のストッパ３２のストッパ側面部３２１と上沓１０の側面１０ａとを仮固定治具４０で連結したりして仮固定してもよい。
【００９５】
なお、上記仮固定治具４０の側面１０ａ，３０ａへの取り付けは、ボルト４１以外の締結手段で締結してもよいし、仮止め溶接等で固定してもよいし、仮固定部材の一部を側面１０ａや側面３０ａに圧入して取り付けてもよい。さらに、上記仮固定治具４０の側面１０ａ，３０ａへの取り付けは、両方とも同じ方法で取り付けてもよいし、異なる方法で取り付けてもよい。
【００９６】
また、仮固定治具４０は、平面交差部分Ｘの四隅に備えたが、四隅全てに備えずとも、例えば対角上の二か所に備えたり、いずれか一か所に備えてもよいし、施工性を考慮して三か所に備えてもよい。
【００９７】
さらには、仮固定治具４０に、中央に向かって延びる部材を設け、中央に向かって延びる部材を設けられた仮固定治具４０で他方向から挟み込んで中沓２０の移動も規制するように構成してもよい。
【符号の説明】
【００９８】
１，１ａ…全方向滑り支承装置
１０…上沓
１０ａ…側面
１１，１１ａ，…ソールプレート
３１，３１ａ…ベースプレート
１２，１２ａ，３２，３２ａ…ストッパ
１４，３４…スライドプレート
１６，３６…高ナット
２０…中沓
３０…下沓
３０ａ…側面
４０…仮固定治具
４１…ボルト
１００…主桁
１１０…橋脚
２４４…ベアリング
２５１…下スライダ
Ｈ…高さ方向
Ｈ２…プレート間距離
Ｈ３…建造物間距離
Ｌ…奥行方向
Ｗ…幅方向
Ｘ…平面交差部分
【図１】
2019105347.tif 000003
【図２】
2019105347.tif 000004
【図３】
2019105347.tif 000005
【図４】
2019105347.tif 000006
【図５】
2019105347.tif 000007
【図６】
2019105347.tif 000008
【図７】
2019105347.tif 000009
【図８】
2019105347.tif 000010
【図９】
2019105347.tif 000011